(57)【要約】【課題】  プリンターの操作を簡便化し使い勝手が良くなるようにすることを目的とする。【解決手段】  メモリカード３に記憶した撮影画像データをプリントアウトするプリンターにおいて、この撮影画像データの人数をカウントする人数カウント手段１４，１５を設け、この撮影画像データの撮影画像を人数分自動的にプリントアウトするようにしたものである。【選択図】        図２
2005210228.tif 000002
【特許請求の範囲】
【請求項１】
メモリカードに記憶した撮影画像データをプリントアウトするようにしたプリンターにおいて、
前記メモリカードに記憶されている前記撮影画像データの撮影画像を表示装置に一覧表示するようにすると共に前記撮影画像データの人数をカウントする人数カウント手段を設け、
前記一覧表示の順番を人数の多い順又は人数の少ない順に表示するようにしたことを特徴とするプリンター。
【請求項２】
メモリカードに記憶した撮影画像データをプリントアウトするプリンターにおいて、
前記撮影画像データの人数をカウントする人数カウント手段を設け、
前記撮影画像データの撮影画像を人数分自動的にプリントアウトするようにしたことを特徴とするプリンター。
【請求項３】
メモリカードに記憶した撮影画像データをプリントアウトするプリンターのプリントアウトプログラムにおいて、
前記メモリカードに記憶した撮影画像データの撮影画像を一覧表示するステップと、
前記撮影画像データより人物撮影画像データを検出するステップと、
前記人物撮影画像データの人数をカウントするステップと、
前記人物撮影画像データの撮影画像を人数分自動的にプリントアウトするステップとを含むことを特徴とするプリンターのプリントアウトプログラム。
【発明の詳細な説明】
【技術分野】
【０００１】
本発明はデジタルカメラ等の撮像装置により撮影した撮影画像データを記憶したメモリカードをプリントアウトするプリンター及びプリンターのプリントアウトプログラムに関する。
【背景技術】
【０００２】
一般にデジタルカメラ等の撮像装置においては、撮影した撮影画像データを着脱可能なメモリカードに記憶保存し、このメモリカードに記憶した撮影画像データを表示画面上に表示したり、プリンターによりプリントアウトする如くしている。
【０００３】
従来、このメモリカードに記憶した撮影画像データをプリントアウトするようにしたプリンターとしては、ユーザがこのメモリカードをプリンターに装着して、所定の操作をし、このプリンターに接続された表示装置の表示画面に、このメモリカードに記憶した撮影画像データの撮影画像を撮影順に一覧表示させ、プリントしたい撮影画像の選択及びプリント枚数の指示を行なって、プリントアウトする如くしていた。
【０００４】
また従来、特許文献１にはデジタルカメラ等の撮像装置において、メモリカードに撮影画像データとこの撮影画像データの複製枚数とを記憶しておき、この撮影画像データのプリントアウト時にプリント枚数の指定操作をしなくとも所望枚数をプリントアウトすることができるようにしたものが開示されている。
【特許文献１】特開２００３−１５３１７２号公報
【発明の開示】
【発明が解決しようとする課題】
【０００５】
然しながら従来のプリンターではメモリカードを装着してから所定の操作を行なってプリントする撮影画像の選択及びプリントアウト枚数の指定を行う必要があり操作が煩わしいといった不都合があった。
【０００６】
また、特許文献１においては、デジタルカメラ等において、プリントアウト枚数をも記憶するようにしているので、このデジタルカメラ等が複雑な構成となると共に撮影時の操作が煩雑となる不都合があった。
【０００７】
本発明は、斯る点に鑑み、デジタルカメラ等において複雑な構成及び煩雑な操作を必要とすることなくプリンターの操作を簡便化し、使い勝手が良くなるようにすることを目的とする。
【課題を解決するための手段】
【０００８】
本発明プリンターは、メモリカードに記憶した撮影画像データをプリントアウトするようにしたプリンターにおいて、このメモリカードに記憶されているこの撮影画像データの撮影画像を表示装置に一覧表示するようにすると共にこの撮影画像データの人数をカウントする人数カウント手段を設け、この一覧表示の順番を人数の多い順又は人数の少ない順に表示するようにしたものである。
【０００９】
本発明によれば撮影画像データの撮影画像を一覧表示するのに表示順を人数の多い順又は人数の少ない順とするようにしたので旅行の撮影画像データ等人物撮影画像から先にプリントアウトする場合に使い勝手が良い。
【００１０】
また本発明プリンターは、メモリカードに記憶した撮影画像データをプリントアウトするプリンターにおいて、この撮影画像データの人数をカウントする人数カウント手段を設け、この撮影画像データの撮影画像を人数分自動的にプリントアウトするようにしたものである。
【００１１】
斯る本発明プリンターは、撮影画像データの人数をカウントし、この撮影画像データの撮影画像を人数分自動的にプリントアウトするので、プリントアウト枚数の指定をする必要がなく使い勝手が良い。
【発明の効果】
【００１２】
本発明によれば撮影画像データの撮影画像を一覧表示するのに表示順を人数の多い順又は人数の少ない順とするようにしたので、旅行の撮影画像データ等人物画像から先にプリントアウトする場合に使い勝手が良い。
【００１３】
また、本発明によれば、撮影画像データの人物をカウントし、この撮影画像データの撮影画像を人数分自動的にプリントアウトするので、プリントアウト枚数の指定をする必要がなく、使い勝手が良い。
【発明を実施するための最良の形態】
【００１４】
以下図面を参照して本発明プリンター及びプリンターのプリントアウトプログラムを実施するための最良の形態の例につき説明する。
【００１５】
図１は本例のプリンターの使用状態の例を示し、図１において、１はプリンター本体、２はこのプリンター本体１に接続され、このプリンター本体１の操作ボタンにより画面表示が制御される表示装置を構成テレビジョン受像機である。
【００１６】
このプリンター本体１にはデジタルカメラにより撮影した撮影画像データを記憶したメモリカード３を挿入し、このメモリカード３に記憶した撮影画像データをこのプリンター本体１に供給するメモリカードスロット３ａが設けられている。
【００１７】
また、このプリンター本体１の上面に種々の操作ボタンが設けられた操作部４を設ける。この操作部４は例えば電源のオンオフを操作する電源ボタン４ａ、表示装置２の表示画面２ａ上のカーソルを上下左右方向に移動するカーソル移動ボタン４ｂ、メニューを表示画面２ａに表示するメニューボタン４ｃ、種々の決定をする決定ボタン４ｄ、決定を取り消す取消ボタン４ｅ、プリントを実行するプリントボタン４ｆ等が設けられている。また、５はペーパートレイである。
【００１８】
本例のプリンターの機能ブロックは図２に示す如くである。この図２につき説明するに、１１はメモリカード３に記憶された撮影画像データが供給されるメモリ等より成る撮影画像データ入力部を示し、この撮影画像データ入力部１１に供給された撮影画像データを種々の処理を行うマイクロコンピュータ等より成る撮影画像処理プロセッサ１２に供給する。
【００１９】
この撮影画像データ入力部１１及び撮影画像処理プロセッサ１２は中央制御装置（ＣＰＵ）１３により種々の制御が行われる如くなされている。この撮影画像処理プロセッサ１２はＣＰＵ１３の指示に従って表示装置２に表示信号を供給すると共にこの撮影画像処理プロセッサ１２はＣＰＵ１３の指示に従ってプリンター本体１にプリントしようとする撮影画像データを供給する。
【００２０】
また、このプリンター本体１は、ＣＰＵ１３の指示に従ったプリントアウトをすると共にこの表示装置２は、ＣＰＵ１３の指示に従った画面表示を行う。
【００２１】
また本例においては、この撮影画像データ入力部１１に供給されるカラーの撮影画像データを人物検出用の人物の顔検出装置１４に供給する。この人物の顔検出装置１４としては例えば図３に示す如き、肌色領域抽出部２００及び被写体検出部３００とより構成するものがある（例えば特願２００２−２５５８６５号参照）。
【００２２】
この肌色領域抽出部２００は図４に示すように、撮影画像データ入力部１１から入力されたカラーの撮影画像データの各画素値を色空間上の座標値に変換する色変換部である表色系変換部２１２と、この色空間上に変換された座標値の出現頻度を表すヒストグラムを生成するヒストグラム生成部２１３と、このヒストグラムにおける出現頻度の極大点及びその近傍の画素を初期クラスタとして抽出する初期クラスタ抽出部２１４と、初期クラスタ抽出部２１４にて抽出された初期クラスタ及び撮影画像データ入力部１１から送られるカラーの撮影画像データからこの初期クラスタを含む閉領域を抽出する初期領域抽出部２１５と、この初期領域内に複数の初期クラスタが抽出されている場合に初期クラスタを１つのクラスタとして統合するクラスタ統合部２１６と、この初期領域内の画素の分布状態に応じてこの初期領域を複数の領域に分割する領域分割部２１７と、人間の肌の色に対応するクラスタに属する画素が含まれる領域を抽出する領域抽出部２１８とから構成され、抽出した肌色領域を被写体検出部３００に供給する。
【００２３】
被写体検出部３００は、図３に示すように、撮影画像データ入力部１１及び肌色領域抽出部２００とから夫々カラーの撮影画像データ及び肌色領域が入力され、人物の頭頂部の位置を検出する頭頂部検出部３１３と、カラーの撮影画像データ及び肌色領域が入力され、人物の口の位置を検出する口検出部３１４と、カラーの撮影画像データ、肌色領域、頭頂部及び口のデータが入力され、人物の眼の位置を検出する眼検出部３１５と、眼及び口のデータが入力され、人物の顎の位置を検出する顎検出部３１６と、カラーの撮影画像データ、口及び眼のデータが入力され、人物の顔の中心線を検出する中心線検出部３１７と、頭頂部、眼、口及び顔の中心線のデータが入力され、顔領域を修正する領域修正部３１８と、カラーの撮影画像データ、肌色領域、眼及び口のデータと領域修正部３１８からの修正データとが入力され、抽出された肌色領域が人物の顔であるか否かを判定する判定部３１９とから構成される。
【００２４】
またこの人物検出用の人物顔検出装置１４としては、上述の外に顔部の検出は顔の形状認識から判断するものがある。現状では、この方法の方が顔認識の検出精度が高い。あらかじめ人物の顔として登録しておけば顔認識の検出精度は格段と向上する。この人物検出用の人物顔検出装置１４はどのようなものであっても良い。
【００２５】
この人物顔検出装置１４で顔が認識されないときは、風景撮影画像であると判断する。
【００２６】
本例においては、この人物の顔検出装置１４に得られる顔認識信号を、人の数をカウントする人数カウント装置１５に供給する如くする。
【００２７】
この場合この人物の顔検出装置１４において、顔が認識されないときは、この顔認識信号は出力されず、顔が認識されたときのみこの顔認識信号を人数カウント装置１５に供給する如くする。
【００２８】
この人数カウント装置１５は撮影画像データ中の人数が何人であるかをカウントし、このカウント値をＣＰＵ１３に通知すると共に撮影画像処理プロセッサ１２に通知する如くする。
【００２９】
本例においては、後述する如くこの人数のカウント値により、メモリカード３に記憶された撮影画像データの一覧表示するときの表示順及びプリントアウト時のプリントアウト枚数を自動的に決定する如くする。
【００３０】
本例において、デジタルカメラ等で撮影した撮影画像データが記憶されているメモリカード３をプリントアウトする場合、このメモリカード３を図１に示す如くプリンター本体１のメモリカードスロット３ａに挿入する。
【００３１】
このとき電源ボタン４ａを操作して電源を入れたときは、表示装置２の表示画面２ａに図１に示す如くメモリカード３に記憶されている撮影画像データの撮影画像を一覧表示する如くする。
【００３２】
本例においては、この表示装置２の表示画面２ａの一覧表示の表示順を選択できる如くする。即ち、操作部４でメニューボタン４ｃを操作し、メニュー画面（図示せず）でカーソル２ｂをカーソル移動ボタン４ｂを操作して、「画像表示順選択」を選択したときは表示画面２ａは図５Ａに示す如き画面となり、本例においては４通りの選択ができるようにする。
【００３３】
本例において、この表示画面２ａでカーソル２ｂにより「昇順」を選択したときには、表示画面２ａに撮影の順番に従った撮影画像データの撮影画像の一覧表示となる。
【００３４】
また、この図５Ａに示す表示画面２ａで、カーソル２ｂにより「降順」を選択したときには昇順とは逆に撮影時の新しいものから順に並べられた一覧表示となる。
【００３５】
この図５Ａに示す表示画面２ａで、カーソル２ｂにより「人物  多い順」を選択したときは、図５Ｂに示す如く人数カウント装置１５にてカウントした人数の多い順に並べ替えられた一覧表示となる。この場合、人数が同じときは、例えば撮影順とし、人物が撮影されている人物撮影画像が先で、その後風景撮影画像とし、この風景撮影画像は例えば撮影順とする。
【００３６】
また、この図５Ａに示す表示画面２ａで、カーソル２ｂにより「人物  少ない順」を選択したときは、図５Ｃに示す如く、人数カウント装置１５にてカウントした人数の少ない順に並び替えられた一覧表示となる。この場合、人数が同じときは、例えば撮影順とし、人物が撮影されている人物撮影画像が先で、その後風景撮影画像とし、この風景撮影画像は例えば撮影順とする。
【００３７】
また、本例においては、プリントアウトモードを選択できる如くする。即ち、操作部４でメニューボタン４ｃを操作し、メニュー画面（図示せず）でカーソル２ｂをカーソル移動ボタン４ｂを操作して、「プリントアウトモード選択」としたときは、表示画面２ａは図６に示す如き画面となり、本例においては「オールプリント」と「選択プリント」との２通りの選択ができるようにする。
【００３８】
本例において、この図６の表示画面２ａで、カーソル２ｂにより、「選択プリント」を選択し、決定ボタン４ｄを操作したときは、表示画面２ａにメモリカード３に記憶されている撮影画像データの撮影画像が上述で選択した順序で一覧表示される。この「選択プリント」のときはカーソル２ｂでプリントアウトしたい表示画面２ａの撮影画像を選択すると共にプリントアウト枚数を指定して、プリントボタン４ｆを操作する。このときは、選択した撮影画像を指定した枚数だけプリントアウトすることができる。
【００３９】
本例においては、この選択した撮影画像が人物撮影画像であり、プリントアウト枚数を指定しないでプリントボタン４ｆを操作したときは、人数カウント装置１５でカウントした人物分のプリントアウトを行う如くする。
【００４０】
この場合においては、プリントアウト枚数を指定しなくても良く使い勝手が良い。またメモリカード３に記憶した撮影画像データの撮影画像を一覧表示するのに人数の多い順又は人数の少ない順とし、風景撮影画像をその後に表示するようにしたときには人物撮影画像が先にあるので旅行の撮影画像データ等人物撮影画像から先にプリントアウトする場合に使い勝手が良い。
【００４１】
また、本例において、この図６の表示画面２ａで、カーソル２ｂにより、「オールプリント」を選択したときは例えば図７のフローチャートに示す如きプリントアウトプログラムに従ってプリントアウトを行う。即ち「オールプリント」を選択し決定ボタン４ｄを操作したとき（ステップＳ３）は、既にステップＳ１でメモリカード３よりの撮影画像データが供給されており、既にステップＳ２で選択した順序で、メモリカード３に記憶されている撮影画像データの撮影画像が一覧表示される（ステップＳ４）。
【００４２】
その後、プリントボタン４ｆを操作した（ステップＳ５）ときは、表示画面２ａの一覧表示の表示順に従って、プリントアウトする撮影画像データを自動的に選択して（ステップＳ６）撮影画像処理プロセッサ１２及びプリンター本体１に供給する。
【００４３】
このときは、人物顔検出装置１４により人物の顔を検出し（ステップＳ７）、その後人物有無を判断し（ステップＳ８）、このステップＳ８で人物が有るときは人数カウント装置１５で人数をカウントし（ステップＳ９）、この選択された撮影画像データを人物撮影画像として自動的にこの人数分（人数枚数）プリントアウトする（ステップＳ１０）。
【００４４】
ステップＳ８で人物が無いと判断したときは、この選択された撮影画像データを風景撮影画像として１枚プリントアウトする（ステップＳ１１）。この「オールプリント」を選択したときはステップＳ６〜ステップＳ１１を、この表示画面２ａに一覧表示されている撮影画像の数だけ行う如くする。
【００４５】
本例においては人物撮影画像データのときは、この撮影画像データ人数分自動的にプリントアウトするので、プリントアウト枚数を指定しなくても良く使い勝手が良い。
【００４６】
また本例によればメモリカード３に記憶した撮影画像データの撮影画像を一覧表示するのに人数の多い順又は人数の少ない順とし、風景撮影画像をその後としたときには、この「オールプリント」を選択した場合、人物撮影画像が先に人数分プリントアウトされ、旅行の撮影画像等、人物の撮影画像を先にプリントアウトしたいので、使い勝手が良くなる。
【００４７】
尚、本発明は上述例に限ることなく本発明の要旨を逸脱することなく、その他種々構成が採り得ることは勿論である。
【図面の簡単な説明】
【００４８】
【図１】本発明プリンターを実施するための最良の形態の例を示す外観図である。
【図２】本発明プリンターを実施するための最良の形態の例の構成図である。
【図３】人物の顔検出装置の例を示す構成図である。
【図４】肌色領域抽出部の例を示す構成図である。
【図５】本発明の説明に供する線図である。
【図６】本発明の説明に供する線図である。
【図７】本発明プリントアウトプログラムを実施するための最良の形態の例を示すフローチャートである。
【符号の説明】
【００４９】
１‥‥プリンター本体、２‥‥表示装置、２ａ‥‥表示画面、３‥‥メモリカード、４‥‥操作部、１１‥‥撮影画像データ入力部、１２‥‥撮影画像処理プロセッサ、１３‥‥中央制御装置（ＣＰＵ）、１４‥‥人物顔検出装置、１５‥‥人数カウント装置
【図１】
2005210228.tif 000003
【図２】
2005210228.tif 000004
【図３】
2005210228.tif 000005
【図４】
2005210228.tif 000006
【図５】
2005210228.tif 000007
【図６】
2005210228.tif 000008
【図７】
2005210228.tif 000009